【手続補正書】
【提出日】平成18年10月17日(2006.10.17)
【手続補正１】
【補正対象書類名】明細書
【補正対象項目名】発明の名称
【補正方法】変更
【補正の内容】
【発明の名称】データ送信装置、データ受信装置、データ送信方法及びデータ受信方法
【手続補正２】
【補正対象書類名】明細書
【補正対象項目名】特許請求の範囲
【補正方法】変更
【補正の内容】
【特許請求の範囲】
【請求項１】
単一の入力部を備え、複数種類のデータがブロック単位のデータブロックとして順次入力される入力手段と、
上記入力手段で入力したデータブロックの開始位置を示すデータ開始信号及び所定期間毎に入力されるフレーム開始信号に基づいて、上記入力手段に入力されたデータの種類を示すデータ種類情報を生成するデータ種類情報生成手段と、
上記入力手段で入力したデータブロックを所定期間毎に記憶する期間区分領域、上記期間区分領域に含まれデータの種類毎にデータブロックを記憶する種類区分領域を有し、上記フレーム開始信号に従って期間区分領域にデータブロックを記憶するとともに、上記データ種類情報生成手段で生成されたデータ種類情報に従って種類区分領域にデータブロックを記憶する記憶手段と、
上記憶手段に記憶されたデータを読み出して複数種類のデータブロックを含むデータ領域とヘッダ領域からなるパケットを所定期間毎に作成してシリアルで送信する送信手段と
を備えることを特徴とするデータ送信装置。
【請求項２】
上記入力手段の入力部に複数種類のデータブロックを出力するデータ生成手段を備え、上記データ種類情報生成手段は、上記データ生成手段により設定されたデータ種類情報を格納し、レジスタ番号が付加された複数のレジスタ部と、上記データ開始信号に従ってレジスタ番号をインクリメントするとともに、上記フレーム開始信号に従ってレジスタ番号をリセットするカウント手段と、上記カウント手段で示されたレジスタ番号のレジスタ部に格納されているデータ種類情報を読み出す読み出し手段とを備え、上記記憶手段は、上記読み出し手段からのデータ種類情報に従ってデータブロックを記憶することを特徴とする請求項１記載のデータ送信装置。
【請求項３】
複数種類のデータを含むデータ領域とヘッダ領域とからなるパケットを所定期間毎に受信する受信手段と、
上記受信手段で受信したデータに付加されたヘッダ情報を参照して、上記データ領域に含まれるデータの種類を識別するデータ種類識別手段と、
データの種類毎にデータブロックを記憶する種類区分領域を有する記憶手段と、データ出力先からのデータ出力指定信号を入力する入力手段と、
単一の出力部を備え、複数種類のデータをブロック単位のデータブロックとして順次出力する出力手段と、
上記データ種類識別手段での識別結果に従って上記受信手段で受信したデータを上記種類区分領域に書き込むとともに、上記入力手段で入力したデータ出力指定信号及び上記データ種類識別手段での識別結果に従って上記種類区分領域に記憶したデータを順次読み出して上記出力部から異なる種類のデータを順次出力するように制御する制御手段と
を備えることを特徴とするデータ受信装置。
【請求項４】
上記出力手段の出力部から出力される複数種類のデータブロックを入力するデータ処理手段を備え、上記制御手段は、上記データ処理手段により設定されたデータ種類情報を格納し、レジスタ番号が付加された複数のレジスタ部と、上記データ出力指定信号に従ってレジスタ番号をインクリメントするカウント手段と、上記カウント手段で示されたレジスタ番号のレジスタ部に格納されているデータ種類情報を読み出す読み出し手段と、上記データ種類識別手段での識別結果及び上記読み出し手段で読み出されたデータ種類情報に基づいて、上記種類区分領域に記憶したデータを順次読み出すデータ読み出し手段とを備えることを特徴とする請求項３記載のデータ受信装置。
【請求項５】 
複数種類のデータがブロック単位のデータブロックとして順次入力される第１のステップと、
上記入力したデータブロックの開始位置を示すデータ開始信号及び所定期間毎に入力されるフレーム開始信号に基づいて、上記入力されたデータの種類を示すデータ種類情報を生成する第２のステップと、
上記入力したデータブロックを所定期間毎に期間区分領域に記憶する第３のステップと、
上記フレーム開始信号に従って上記期間区分領域にデータブロックを記憶するとともに、上記データ種類情報に従って種類区分領域にデータブロックを記憶する第４のステップと、
上記記憶されたデータを読み出して複数種類のデータブロックを含むデータ領域とヘッダ領域からなるパケットを所定期間毎に作成してシリアルで送信する第５のステップと、
を備えることを特徴とするデータ送信方法
【請求項６】
複数種類のデータを含むデータ領域とヘッダ領域とからなるパケットを所定期間毎に受信する第１のステップと、
上記受信したデータに付加されたヘッダ情報を参照して、上記データ領域に含まれるデータの種類を識別する第２のステップと、
データ出力先からのデータ出力指定信号を入力する第３のステップと、
複数種類のデータをブロック単位のデータブロックとして順次出力する第４のステップと、
上記識別結果に従って上記受信したデータを種類区分領域に書き込むとともに、上記入力したデータ出力指定信号及び上記識別結果に従って上記種類区分領域に記憶したデータを順次読み出して異なる種類のデータを順次出力するように制御する第５のステップと、
を備えることを特徴とするデータ受信方法。
【手続補正３】
【補正対象書類名】明細書
【補正対象項目名】０００１
【補正方法】変更
【補正の内容】
【０００１】
【発明の属する技術分野】
本発明は、ＳＤＴＩＣＰ（Serial Digital Transfer Interface Content Package）規格に準拠したデータを送信するデータ送信装置及びデータ送信方法、ＳＤＴＩＣＰ規格に準拠したデータを受信するデータ受信装置及びデータ受信方法に関する。
【手続補正４】
【補正対象書類名】明細書
【補正対象項目名】０００４
【補正方法】変更
【補正の内容】
【０００４】
このようなＳＤＴＩＣＰデータを伝送する従来のデータ送信装置、データ受信装置を図１０に示す。
【手続補正５】
【補正対象書類名】明細書
【補正対象項目名】００１１
【補正方法】変更
【補正の内容】
【００１１】
そこで、本発明は、上述したような実情に鑑みて提案されたものであり、単一のポートを用いて種類の異なるデータを入力して送信することができるデータ送信装置及びデータ送信方法、単一のポートを用いて種類の異なるデータを受信して出力することができるデータ受信装置及びデータ受信方法を提供することを目的とする。
【手続補正６】
【補正対象書類名】明細書
【補正対象項目名】００１３
【補正方法】変更
【補正の内容】
【００１３】
本発明に係るデータ受信装置は、上述の課題を解決するために、複数種類のデータを含むデータ領域とヘッダ領域とからなるパケットを所定期間毎に受信する受信手段と、上記受信手段で受信したデータに付加されたヘッダ情報を参照して、上記データ領域に含まれるデータの種類を識別するデータ種類識別手段と、データの種類毎にデータブロックを記憶する種類区分領域を有する記憶手段と、データ出力先からのデータ出力指定信号を入力する入力手段と、単一の出力部を備え、複数種類のデータをブロック単位のデータブロックとして順次出力する出力手段と、上記データ種類識別手段での識別結果に従って上記受信手段で受信したデータを上記種類区分領域に書き込むとともに、上記入力手段で入力したデータ出力指定信号及び上記データ種類識別手段での識別結果に従って上記種類区分領域に記憶したデータを順次読み出して上記出力部から異なる種類のデータを順次出力するように制御する制御手段とを備える。
本発明に係るデータ送信方法は、上述の課題を解決するために、複数種類のデータがブロック単位のデータブロックとして順次入力される第１のステップと、上記入力したデータブロックの開始位置を示すデータ開始信号及び所定期間毎に入力されるフレーム開始信号に基づいて、上記入力されたデータの種類を示すデータ種類情報を生成する第２のステップと、上記入力したデータブロックを所定期間毎に期間区分領域に記憶する第３のステップと、上記フレーム開始信号に従って上記期間区分領域にデータブロックを記憶するとともに、上記データ種類情報に従って種類区分領域にデータブロックを記憶する第４のステップと、上記記憶されたデータを読み出して複数種類のデータブロックを含むデータ領域とヘッダ領域からなるパケットを所定期間毎に作成してシリアルで送信する第５のステップとを備える
さらに、本発明に係るデータ受信方法は、上述の課題を解決するために、複数種類のデータを含むデータ領域とヘッダ領域とからなるパケットを所定期間毎に受信する第１のステップと、上記受信したデータに付加されたヘッダ情報を参照して、上記データ領域に含まれるデータの種類を識別する第２のステップと、データ出力先からのデータ出力指定信号を入力する第３のステップと、複数種類のデータをブロック単位のデータブロックとして順次出力する第４のステップと、上記識別結果に従って上記受信したデータを種類区分領域に書き込むとともに、上記入力したデータ出力指定信号及び上記識別結果に従って上記種類区分領域に記憶したデータを順次読み出して異なる種類のデータを順次出力するように制御する第５のステップとを備える。
【手続補正７】
【補正対象書類名】明細書
【補正対象項目名】００５８
【補正方法】変更
【補正の内容】
【００５８】
【発明の効果】
以上詳細に説明したように、本発明に係るデータ送信装置及びデータ送信方法では、単一の入力部から複数種類のデータを順次入力し、データ開始信号及びフレーム開始信号に基づいてデータ種類情報を生成し、所定期間毎、データの種類毎にデータを記憶することができるので、単一のポートを用いて種類の異なるデータを入力してパケットを生成して送信することができる。
【手続補正８】
【補正対象書類名】明細書
【補正対象項目名】００５９
【補正方法】変更
【補正の内容】
【００５９】
本発明に係るデータ受信装置及びデータ受信方法では、データ種類識別手段での識別結果に従って受信手段で受信したデータを種類区分領域に書き込むとともに、入力手段で入力したデータ出力指定信号及びデータ種類識別手段での識別結果に従って種類区分領域に記憶したデータを順次読み出して出力部から異なる種類のデータを順次出力することができるので、単一のポートを用いて種類の異なるデータを出力することができる。